【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
少なくとも１つの公報に関する入力データと、前記入力データに対応する少なくとも１つの公報に関する出力データとの関係を示す教師データに基づいて、学習モデルを構築するモデル構築部と、
所定の期間の間に発行された公報に関する新着情報を、前記入力データとして、前記学習モデルに入力する新着情報入力部と、
前記新着情報の入力に応じて前記学習モデルから出力された結果をユーザ端末に提供する出力結果提供部と、
前記ユーザ端末から、前記教師データの元となる教師情報を受信する受信部と、
前記教師情報に応じた前記教師データを前記モデル構築部に投入する教師データ投入部とを有し、
前記モデル構築部は、前記教師情報に応じた前記教師データに基づいて、前記学習モデルを再構築し、
前記新着情報入力部は、前記所定の期間とは異なる期間の間に発行された公報に関する新着情報を前記入力データとして、再構築された前記学習モデルに入力し、
前記出力結果提供部は、再構築された前記学習モデルから出力された結果を前記ユーザ端末に提供する、
検索システム。
【請求項２】
少なくとも１つの公報に関する入力データと、前記入力データに対応する少なくとも１つの公報に関する出力データとの関係を示す教師データに基づいて、学習モデルを構築するモデル構築部と、
所定の期間の間に発行された公報に関する新着情報を、前記入力データとして、前記学習モデルに入力する新着情報入力部と、
前記新着情報の入力に応じて前記学習モデルから出力された結果をユーザ端末に提供する出力結果提供部と、
前記ユーザ端末から、前記教師データの元となり、再一覧を要求するか否かを示すフラグを含む教師情報を受信する受信部と、
前記教師情報に応じた前記教師データを前記モデル構築部に投入する教師データ投入部とを有し、
前記モデル構築部は、前記教師情報に応じた前記教師データに基づいて、前記学習モデルを再構築し、
前記新着情報入力部は、前記フラグが再一覧を要求することを示す場合に、前記新着情報を前記入力データとして、再構築された前記学習モデルに入力し、
前記出力結果提供部は、再構築された前記学習モデルから出力された結果を前記ユーザ端末に提供する、
検索システム。
【請求項３】
前記出力データには、前記公報の近似度を示す値が含まれる、請求項１又は２に記載の検索システム。
【請求項４】
前記教師情報は、特定の公報が適切か若しくは不適切かを示す情報、特定の公報の適切度合を示す情報若しくは不適切度合を示す情報、または、特定の公報のうちの特定の箇所の記載内容が適切か若しくは不適切かを示す情報を含む、請求項３に記載の検索システム。
【請求項５】
前記モデル構築部は、前記教師情報が適切であることを示す場合、当該特定の公報に対して近似を示す値を付与し、教師情報が不適切であることを示す場合、当該特定の公報に対して近似しないことを示す値を付与する学習モデルを構築する、請求項４に記載の検索システム。
【請求項６】
前記出力結果提供部は、前記学習モデルから出力された公報の中から予め設定された条件に従った公報を抽出して提供する、請求項３から５のいずれか一項に記載の検索システム。
【請求項７】
前記条件は、前記近似度に対応するスコアの閾値、前記近似度に対応するスコア上位からの件数、または検索式の少なくとも１つを含む、請求項６に記載の検索システム。
【請求項８】
前記新着情報入力部は、新着情報の中から予め設定された条件に従って抽出された公報を、前記入力データとして、前記学習モデルに入力する、請求項１から７のいずれか一項に記載の検索システム。
【請求項９】
前記教師データ投入部は、概念検索、類似検索、または、所定の検索式を実行した結果得られる公報の中から所定の公報を初期教師データとして用いる、請求項１から８のいずれか一項に記載の検索システム。
【請求項１０】
所定の時点の前記学習モデルの構成を示す情報を含む、前記学習モデルの履歴情報を格納する履歴情報格納部をさらに有する、請求項１から９のいずれか一項に記載の検索システム。
【請求項１１】
前記履歴情報は、前記所定の時点から前記モデル構築部に投入された教師データをさらに含む、請求項１０に記載の検索システム。
【請求項１２】
前記受信部は、複数のユーザ端末からそれぞれ教師情報を受信し、
受信した複数の教師情報を統合する統合部をさらに有する、請求項１から１１のいずれか一項に記載の検索システム。
【請求項１３】
前記統合部は、一部のユーザ端末の教師情報が他のユーザ端末の教師情報と異なっている場合、採用する教師情報を多数決によって決定する、請求項１２に記載の検索システム。
【請求項１４】
前記統合部は、
ユーザ毎に設定された重み情報を取得し、
一部のユーザ端末の教師情報が他のユーザ端末の教師情報と異なっている場合、ユーザ毎の重みを加味して教師情報を決定する、請求項１２に記載の検索システム。
【請求項１５】
前記統合部は、
ユーザの中でリーダを識別可能であり、
一部のユーザ端末の教師情報が他のユーザ端末の教師情報と異なっている場合、リーダからの指示を受信し、受信した指示に基づいて教師情報を決定する、請求項１２に記載の検索システム。
【請求項１６】
少なくとも１つの公報に関する入力データと、前記入力データに対応する少なくとも１つの公報に関する出力データとの関係を示す教師データに基づいて、学習モデルを構築するモデル構築部を有する検索システムの制御方法であって、
所定の期間の間に発行された公報に関する新着情報を、前記入力データとして、前記学習モデルに入力する新着情報入力ステップと、
前記新着情報の入力に応じて前記学習モデルから出力された結果をユーザ端末に提供する出力結果提供ステップと、
前記ユーザ端末から、前記教師データの元となる教師情報を受信する受信ステップと、
前記教師情報に応じた前記教師データを前記モデル構築部に投入する教師データ投入ステップと、
前記モデル構築部によって、前記教師情報に応じた前記教師データに基づいて、前記学習モデルを再構築するが学習モデル再構築ステップと、
前記所定の期間とは異なる期間の間に発行された公報に関する新着情報を前記入力データとして、再構築された前記学習モデルに入力する新着情報再入力ステップと、
再構築された前記学習モデルから出力された結果を前記ユーザ端末に提供する出力結果再提供ステップと、
を有する、検索システムの制御方法。
【請求項１７】
少なくとも１つの公報に関する入力データと、前記入力データに対応する少なくとも１つの公報に関する出力データとの関係を示す教師データに基づいて、学習モデルを構築するモデル構築部を有する検索システムの制御方法であって、
所定の期間の間に発行された公報に関する新着情報を、前記入力データとして、前記学習モデルに入力する新着情報入力ステップと、
前記新着情報の入力に応じて前記学習モデルから出力された結果をユーザ端末に提供する出力結果提供ステップと、
前記ユーザ端末から、前記教師データの元となり、再一覧を要求するか否かを示すフラグを含む教師情報を受信する受信ステップと、
前記教師情報に応じた前記教師データを前記モデル構築部に投入する教師データ投入ステップと、
前記モデル構築部によって、前記教師情報に応じた前記教師データに基づいて、前記学習モデルを再構築する学習モデル再構築ステップと、
前記フラグが再一覧を要求することを示す場合に、前記新着情報を前記入力データとして、再構築された前記学習モデルに入力する新着情報再入力ステップと、
再構築された前記学習モデルから出力された結果を前記ユーザ端末に提供する出力結果再提供ステップと、
を有する、検索システムの制御方法。
【請求項１８】
コンピュータを、請求項１から１５のいずれか一項に記載の検索システムの各部として機能させるためのプログラム。